(57)【要約】【課題】作業労力を低減して短時間で高効率に検査を行うことができ、検査中、手を挟む虞、及びガンに設けた電極に疵を発生させる虞がないスポット溶接ガン検査用冶具を提供する。【解決手段】外筒２の両端部分には、外筒２の内径と略同じ外径であり、内筒３の外径より所定寸法だけ大きい内径になした第１・第２ドライベアリング筒１１，１２が内嵌してあり、内筒３は、その一端側が第２ドライベアリング筒１２内を貫通する態様で、当該第２ドライベアリング筒１２によってスライド自在及び回動自在に支持されている。そして、内筒３の他端には、第３ドライベアリング筒１３の一端部分が外嵌固定してある。【選択図】図１
2005088061.tif 000002
【特許請求の範囲】
【請求項１】
スポット溶接を行う電極がそれぞれ先端に設けてあり、対向配置された２つのガン相互の位置ズレを検査するスポット溶接ガン検査用冶具において、
外筒の一端側内に内筒の一端側がスライド自在及び回動自在に挿入してあり、前記外筒の他端側に、一方のガンの電極に回動自在に外嵌させる嵌合部が設けてあり、前記内筒の他端側に他方のガンの電極に回動自在に外嵌させる嵌合部が設けてあることを特徴とするスポット溶接ガン検査用冶具。
【請求項２】
前記外筒内に、前記内筒をスライド自在及び回動自在に支持する支持筒が装入してある請求項１記載のスポット溶接ガン検査用冶具。
【請求項３】
前記支持筒と内筒との間に遊びが設けてある請求項２記載のスポット溶接ガン検査用冶具。
【請求項４】
前記外筒の嵌合部及び前記内筒の嵌合部は、筒状のドライベアリングを外筒及び内筒にそれぞれ内嵌して構成してある請求項１から３のいずれかに記載のスポット溶接ガン検査用冶具。
【請求項５】
前記支持筒はドライベアリングで構成してある請求項１から４のいずれかに記載のスポット溶接ガン検査用冶具。
【請求項６】
前記外筒の外周面に握り部が突設してある請求項１から５のいずれかに記載のスポット溶接ガン検査用冶具。
【発明の詳細な説明】
【技術分野】
【０００１】
本発明は、スポット溶接を行う電極がそれぞれ先端に設けてあり、対向配置された２つのガン相互の位置ズレを検査する冶具に関する。
【背景技術】
【０００２】
ワークにスポット溶接を行うＣ型ガンは、適宜距離を隔てて対向配置した一対のガンを備えており、両ガンの先端には、ワークに通電するための電極がそれぞれ取り付けてある。これらガンの内の一方は、エア又はモータによって駆動されるシリンダによって、当該ガンの中心軸線上を進退可能に支持されている。そして、シリンダを前進駆動させて、両電極でワークを挟圧し、その状態で両電極に通電することによって、ワーク内に抵抗熱を発生させ、ワークの一部を溶融接合させる。
【０００３】
このようなスポット溶接ガンにあっては、溶接を繰り返す間に対をなす両ガンに、両ガンの中心軸が一致しなくなる位置ズレが発生し、かかる位置ズレが許容限度を超えた場合、ワークへの溶接不良を招来するため、従来より次のような冶具（たとえば、特許文献１参照。）を用いて、定期的に、前記位置ズレが許容限度内であるか否かの検査を実施している。
【０００４】
すなわち、従来のスポット溶接ガン検査用冶具は、短寸円柱状の基材の両端面に、前述した一対の電極を内嵌させる円筒状の凹部を、それぞれ基材の中心軸と同軸上に削設してなり、その縦断面視の形状は略Ｈ形である。そして、一方の凹部の内径は、電極の外径と略同じ寸法にしてあり、他方の凹部の内径は、電極の外径より許容寸法だけ大きい寸法にしてある。
【０００５】
このようなスポット溶接ガン検査用冶具を用いて、対をなすスポット溶接ガン相互の位置ズレを検出するには、当該冶具をスポット溶接ガンに、前述した小径の凹部を対をなす一方の電極に外嵌させるように配設する一方、前述したシリンダの駆動停止系を解除してガンを進退自在にした後、手動でガンを前進移動させて、当該冶具の大径の凹部内に他方の電極を挿入させるようにする。そして、他方の電極が大径の凹部の周囲に当接して当該凹部内に挿入し得ない場合、又は、他方の電極が大径の凹部内に挿入し得たが、当該凹部の中心軸から偏心して凹部の内周面に接触していた場合、対をなすガンの間に許容範囲以上の位置ズレが生じていると判断する。
【０００６】
【特許文献１】特開２００１−２３２４８０号公報
【発明の開示】
【発明が解決しようとする課題】
【０００７】
しかしながら、このような従来のスポット溶接ガン検査用冶具にあっては、シリンダの駆動系を解除してガンを進退自在にした後、手動でガンを進退移動させなければならず、ガンの移動作業に多大の労力を要するという問題があった。また、手動でのガンの移動作業に比較的長い時間を要するため、検査効率が低いという問題もあった。一方、前進移動させたガンの電極が冶具に当接又は接触した場合、その状態によっては当該電極の表面に疵が生じる虞があった。
【０００８】
本発明は、斯かる事情に鑑みてなされたものであって、作業労力を低減して短時間で高効率に検査を行うことができ、検査中、ガンに設けた電極に疵を発生させる虞がないスポット溶接ガン検査用冶具を提供する。
【課題を解決するための手段】
【０００９】
請求項１記載の本発明は、スポット溶接を行う電極がそれぞれ先端に設けてあり、対向配置された２つのガン相互の位置ズレを検査するスポット溶接ガン検査用冶具において、外筒の一端側内に内筒の一端側がスライド自在及び回動自在に挿入してあり、前記外筒の他端側に、一方のガンの電極に回動自在に外嵌させる嵌合部が設けてあり、前記内筒の他端側に他方のガンの電極に回動自在に外嵌させる嵌合部が設けてあることを特徴とする。
【００１０】
請求項２記載の本発明は、前記外筒内に、前記内筒をスライド自在及び回動自在に支持する支持筒が装入してあることを特徴とする。
【００１１】
請求項３記載の本発明は、前記支持筒と内筒との間に遊びが設けてあることを特徴とする。
【００１２】
請求項４記載の本発明は、前記外筒の嵌合部及び前記内筒の嵌合部は、筒状のドライベアリングを外筒及び内筒にそれぞれ内嵌して構成してあることを特徴とする。
【００１３】
請求項５記載の本発明は、前記支持筒はドライベアリングで構成してあることを特徴とする。
【００１４】
請求項６記載の本発明は、前記外筒の外周面に握り部が突設してあることを特徴とする。
【発明の効果】
【００１５】
請求項１記載の本発明では、スポット溶接を行う電極がそれぞれ先端に設けてあり、対向配置された２つのガン相互の位置ズレを検査する場合、外筒の一端側内に内筒の一端側がスライド自在及び回動自在に挿入してあり、外筒の他端側に、一方のガンの電極に回動自在に外嵌させる嵌合部が設けてあり、内筒の他端側に他方のガンの電極に回動自在に外嵌させる嵌合部が設けてあるため、内筒を外筒からスライドさせて、内外筒の嵌合部をそれぞれ、対をなす両ガンの先端に設けてある電極に外嵌させることができるか否かによって、ガンの駆動系を解除することなく、両ガン相互の位置ズレが大きい場合、これを検出することができる。
【００１６】
一方、両ガン相互の位置ズレが小さい場合、内外筒の嵌合部を両ガンの電極にそれぞれ外嵌させることができる。このとき、両ガン相互の位置ズレが発生していない場合は、外筒又は内筒を回動させようとすると、外筒又は内筒が円滑に回動するが、両ガン相互の位置ズレが発生している場合、外筒又は内筒は円滑に回動しない。これによって、両ガン相互の位置ズレが小さい場合であっても、ガンの駆動停止系を解除することなく、それを検出することができる。このように、ガンの駆動停止系を解除することなく、両ガン相互の位置ズレを検査することができるため、作業労力を低減して短時間で高効率に検査を行うことができる。また、外筒から伸張させる方向へ内筒をスライドさせることによって、内外筒の嵌合部内に両電極をそれぞれ嵌合させるため、検査中、ガンに設けた電極に疵を発生させる虞がない。
【００１７】
請求項２記載の本発明では、外筒内に装入した支持筒によって、内筒をスライド自在及び回動自在に支持するため、検査に要する労力を可及的に低減することができる。
【００１８】
請求項３記載の本発明では、支持筒と内筒との間に遊びが設けてあるため、外筒から伸張された内筒は、その遊びに対応する角度まで、外筒の中心軸に交わる方向へ傾くことができる。これによって、両ガン相互の位置ズレが小さい場合、内外筒の嵌合部を両電極にそれぞれ外嵌させることができる。従って、外筒及び内筒には、例えば金属製パイプといった硬い素材を用いることができ、所要の強度が担保される。
【００１９】
請求項４記載の本発明では、外筒の嵌合部及び内筒の嵌合部は、筒状のドライベアリングを外筒及び内筒にそれぞれ内嵌して構成してあるため、簡単な構成で、嵌合部内に電極を回動自在に嵌合させることができ、冶具の製造コストを可及的に低くすることができる。
【００２０】
請求項５記載の本発明では、支持筒はドライベアリングで構成してあるため、簡単な構成で、内筒をスライド自在及び回動自在に支持することができ、冶具の製造コストを可及的に低くすることができる。
【００２１】
請求項６記載の本発明では、外筒の外周面に握り部が突設してあるため、検査員がこの握り部を握って外筒を容易に保持することができ、その状態で、内筒を外筒から外へ容易にスライドさせることができる。従って、検査の作業効率が高い。また、外筒を回動させる場合、握り部を操作することによってそれを容易に行うことができる。
【発明を実施するための最良の形態】
【００２２】
本発明に係るスポット溶接ガン検査用冶具は、スポット溶接を行う電極がそれぞれ先端に設けてあり、対向配置された２つのガン相互の位置ズレを検査する場合に使用され、外筒の一端側内に内筒の一端側がスライド自在及び回動自在に挿入してある。そして、外筒の他端側に、一方のガンの電極に回動自在に外嵌させる嵌合部が設けてあり、内筒の他端側に他方のガンの電極に回動自在に外嵌させる嵌合部が設けてある。
【００２３】
前述した外筒内に、内筒をスライド自在及び回動自在に支持する支持筒が装入してある。
【００２４】
また、この支持筒と内筒との間に所定の遊びが設けてある。
【００２５】
一方、前述した外筒の嵌合部及び内筒の嵌合部は、筒状のドライベアリングを外筒及び内筒にそれぞれ内嵌して構成してある。
【００２６】
同様に、前述した支持筒はドライベアリングで構成してある。
【００２７】
更に、本発明に係るスポット溶接ガン検査用冶具は、外筒の外周面に握り部が突設してある。
【００２８】
以下、本発明を図面を用いて詳述する。
【実施例１】
【００２９】
図１は、本発明に係るスポット溶接ガン検査用冶具を示す正面図であり、図２は、図１に示したスポット溶接ガン検査用冶具の分解斜視図である。スポット溶接ガン検査用冶具（以後、単に冶具ということもある。）１は、平断面視が環状の外筒２内に、該外筒２の内径より小さい外径の内筒３の一端側をスライド自在に挿入してなり、外筒２の外周面であって、長手方向の略中央の位置には、正面視がＴ字状の握り部１０が、その脚部を外筒２の中心軸に直交させるように固着してある。
【００３０】
外筒２の両端部分には、外筒２の内径と略同じ外径であり、前記内筒３の外径より所定寸法だけ大きい内径になした短寸の第１ドライベアリング筒（嵌合部）１１及び第２ドライベアリング筒（支持筒）１２がそれぞれ内嵌してあり、前述した内筒３は、その一端側が第２ドライベアリング筒１２内を貫通する態様で、当該第２ドライベアリング筒１２によって長手方向へスライド自在及び周方向へ回動自在に支持されている。
【００３１】
一方、内筒３の他端には、第３ドライベアリング筒（嵌合部）１３の一端部分が外嵌固定してあり、この第３ドライベアリング筒１３には、前記外筒２の径寸法と同じ径寸法であり、第３ドライベアリング筒１３の長さ寸法と略同じ長さ寸法のストッパ筒７が外嵌してある。
次に、このような冶具１を用いてスポット溶接ガンを検査する方法について説明する。
【００３２】
図３及び図４は、図１に示した冶具を用いてスポット溶接ガンを検査する方法を説明する説明図であり、図中、３０，３０はＣ型のガンである。両ガン３０，３０は、一線分方向に所定距離を隔てて対向配置してあり、両ガン３０，３０の先端には、円柱の先端を丸加工してなる電極３１，３１が、それぞれの中心軸と対応するガン３０，３０の中心軸とが一致するように固着してある。
【００３３】
このようなスポット溶接ガンにあっては、一方のガン３０が図示しない駆動装置によって進退駆動されるようになっており、当該一方のガン３０を前進駆動させて両電極３１，３１によってワークの溶接対象部分を挟圧しつつ、両電極３１，３１間に通電することによってワーク内に抵抗熱を発生させ、ワークの溶接対象部分をスポット溶接する。そして、通電が終了すると、前記一方のガン３０を後退させ、ワークを移動させた後、前同様の操作を行ってスポット溶接を繰り返す。かかるスポット溶接作業が繰り返しおこなわれることによって、両ガン３０，３０に、それぞれの中心軸が相互にずれる位置ズレが生じる。
【００３４】
この位置ズレの有無を検査するには、図３に示した如く、両ガン３０，３０の間に冶具１を配置して、冶具１の外筒２の一端を一方のガン３０の電極３１に外嵌させ、内部に装着してある第１ドライベアリング筒１１内へ電極３１を挿入させる。次に、外筒２から内筒３を伸張させ、内筒３の他端に取り付けた第３ドライベアリング筒１３内へ他方の電極３１を挿入させるようにする。このとき、ガン３０の進退駆動装置を解除させなくてもかかる作業を行うことができる。
【００３５】
そして、両ガン３０，３０相互の位置ズレが大きい場合、第３ドライベアリング筒１３内へ他方の電極３１を挿入させることができないため、これによって、両ガン３０，３０相互間に大きな位置ズレが生じていることを検出することができる。このとき、ガン３０に比べて非常に軽量な内筒３を手動で伸張させて、注意を払いつつ、内筒３の第３ドライベアリング筒１３内へ他方の電極３１を挿入させるようにするため、第３ドライベアリング筒１３内へ他方の電極３１を挿入させることができない場合であっても、当該他方の電極３１に疵が生じる虞はない。
【００３６】
一方、両ガン３０，３０相互の位置ズレが小さい場合、又は、両ガン３０，３０相互の位置ズレが生じていない場合、第３ドライベアリング筒１３内へ他方の電極３１を挿入させることができる。これは次の理由による。すなわち、外筒２の中心軸、内筒３の中心軸、及び第１〜第３ドライベアリング筒１１〜１３の中心軸は一致しているため、両ガン３０，３０相互の位置ズレが生じていない場合、内筒３を外筒２の軸長方向へ伸張させることによって、第３ドライベアリング筒１３内へ他方の電極３１を挿入させることができる。
【００３７】
また、前述した如く、内筒３をスライド自在に支持する第２ドライベアリング筒１２の内径は、内筒３の外形より所定寸法だけ大きいため、内筒３と第２ドライベアリング筒１２との間には所定の遊びが生じ、従って、外筒２から伸張させた内筒３は、外筒２の中心軸に対して所定の角度まで傾かせることができる。これによって、両ガン３０，３０相互の位置ズレが小さい場合、内筒３を外筒２から伸張させると共に、外筒２の中心軸に対して所定の角度範囲内で傾かせることによって、第３ドライベアリング筒１３内へ他方の電極３１を挿入させることができるのである。
【００３８】
そして、図４に示した如く、冶具１の外筒２内の第１ドライベアリング筒１１を一方の電極３１に外嵌させ、内筒３に固定した第３ドライベアリング筒１３を他方の電極３１に外嵌させた状態で、握り部１０を操作して、外筒２をその中心軸回りに回動させる。
【００３９】
このとき、両ガン３０，３０相互の位置ズレが生じていない場合、外筒２の中心軸と内筒３の中心軸とが一致しているため、外筒２は円滑に回動する。これに対して、両ガン３０，３０相互の位置ズレが生じている場合、内筒３の中心軸が外筒２の中心軸に対して傾いているため、外筒２は円滑に回動することができず、位置ズレの程度が大きい場合、外筒２を回動させることができない場合もある。なお、両電極３０，３０は、第１、第３ドライベアリング筒１１，１３に内嵌してあるため、外筒２及び内筒３の回動によって電極３１，３１の外周面に疵が生じる虞がない。
【００４０】
このように、一方のガン３０を移動させることなく、両ガン３０，３０相互の位置ズレを検査することができるため、検査作業労力を低減して短時間で高効率に検査を行うことができる一方、検査中、ガン３０，３０に設けた電極３１，３１に疵を発生させる虞がない。
【図面の簡単な説明】
【００４１】
【図１】本発明に係るスポット溶接ガン検査用冶具を示す正面図である。
【図２】図１に示したスポット溶接ガン検査用冶具の分解斜視図である。
【図３】図１に示した冶具を用いてスポット溶接ガンを検査する方法を説明する説明図である。
【図４】図１に示した冶具を用いてスポット溶接ガンを検査する方法を説明する説明図である。
【符号の説明】
【００４２】
１  スポット溶接ガン検査用冶具
２  外筒
３  内筒
７  ストッパ筒
１０  握り部
１１  第１ドライドライベアリング筒
１２  第２ドライドライベアリング筒
１３  第３ドライドライベアリング筒
３０  ガン
３１  電極
【図１】
2005088061.tif 000003
【図２】
2005088061.tif 000004
【図３】
2005088061.tif 000005
【図４】
2005088061.tif 000006